(57)【要約】      （修正有）【課題】複数の負荷毎に電源部を設け、これら複数の電源部を並列に接続した電源装置では、外部からの電源供給開始に伴ってすべての電源部を作動させると、電源供給開始時点で作動する必要のない負荷用の電源部まで作動してしまい、省エネ上好ましくない。【解決手段】電源部を複数設け、各電源部を並設に接続すると共に、これら複数の電源部の内の１個を主電源部とし、残りを副電源部として、各副電源部に、上記商用電源からの電力供給開始によって副電源部の作動を禁止する作動禁止部５を設けると共に、外部からの指令によってこの作動禁止部による作動禁止を解除して各副電源部を個別に作動させる作動禁止解除手段５２を設けた。【選択図】図２
2015126656.tif 000002
【特許請求の範囲】
【請求項１】
外部の商用電源から供給される交流電力を直流電力に変換して各負荷に供給する電源部を備えた電源装置において、上記電源部を複数設け、各電源部を並設に接続すると共に、これら複数の電源部の内の１個を主電源部とし、残りを副電源部として、各副電源部に、上記商用電源からの電力供給開始によって副電源部の作動を禁止する作動禁止部を設けると共に、外部からの指令によってこの作動禁止部による作動禁止を解除して各副電源部を個別に作動させる作動禁止解除手段を設けたことを特徴とする電源装置。
【請求項２】
上記副電源部はスイッチング電源によって構成され、上記作動禁止部はこのスイッチング電源の１次側の発振を停止させることにより副電源部の作動を禁止することを特徴とする請求項１に記載の電源装置。
【発明の詳細な説明】
【技術分野】
【０００１】
本発明は、主電源部と副電源部とを相互に並列に接続した電源装置に関する。
【背景技術】
【０００２】
従来のこの種の電源装置として、例えば充電式電池に充電する充電装置に内蔵されるもので、相互に並列に接続された複数の電源部を備え、充電を開始する際に一旦すべての電源部を作動させて充電を開始するが、充電に必要な電流値が少ない場合には、順次電源部の作動を停止させていき、必要最小限の個数の電源部で充電を行うようにしたものが知られている（例えば、特許文献１参照）。
【先行技術文献】
【特許文献】
【０００３】
【特許文献１】特開２００８−１８７８６５号公報（段落［００１７］）
【発明の概要】
【発明が解決しようとする課題】
【０００４】
上記特許文献１に記載された従来の電源装置では、充電式電池という１個の負荷に対して複数の電源部を使用しているが、複数種類の負荷を内蔵した装置に組み込まれた電源装置に、上記複数の電源部を備えた電源装置を適用し、ここの負荷に対して各電源部を個別に接続する場合、外部の商用電源から電力供給が開始された時点ですべての負荷を作動させる必要が無い場合が生じる。
【０００５】
例えば、水を電気分解してアルカリイオン水を出水する浄水装置では、電源投入と同時に制御部を作動させる必要があるが、その後に出水操作がされるまでは水の電気分解を行う必要がない。このような浄水装置では、制御部を作動させるための電源部と水の電気分解を行うための電源部とを別個に設けても、両電源部を単に並列に接続したのであれば、電源スイッチがオンされると制御部用の電源部が作動するのはよいが、不必要な電気分解用の電源部も作動する。
【０００６】
制御部が作動した後は不必要な電気分解用の電源部の作動を制御部が停止させることになるが、作動させる必要のない電源部が短時間であっても作動し、電気分解用に電力が供給されるという不具合が生じる。
【０００７】
そこで本発明は、上記の問題点に鑑み、複数の電源部を備えた電源装置であっても、電源スイッチ投入時に必要な電源部のみが作動する電源装置を提供することを課題とする。
【課題を解決するための手段】
【０００８】
上記課題を解決するために本発明による電源装置は、外部の商用電源から供給される交流電力を直流電力に変換して各負荷に供給する電源部を備えた電源装置において、上記電源部を複数設け、各電源部を並設に接続すると共に、これら複数の電源部の内の１個を主電源部とし、残りを副電源部として、各副電源部に、上記商用電源からの電力供給開始によって副電源部の作動を禁止する作動禁止部を設けると共に、外部からの指令によってこの作動禁止部による作動禁止を解除して各副電源部を個別に作動させる作動禁止解除手段を設けたことを特徴とする。
【０００９】
本発明は、電力供給が開始されると主電源部以外のすべての副電源部を作動停止状態にすることにより、短時間であっても副電源部が作動することを禁止する。そして、この電源装置の作動をコントロールする制御部の作動用電力を主電源部から供給するように構成すれば、制御部が立ち上がった後に必要な副電源部を個別に作動させる。
【００１０】
なお、具体的には、上記副電源部はスイッチング電源によって構成され、上記作動禁止部はこのスイッチング電源の１次側の発振を停止させることにより副電源部の作動を禁止する構成を採用することができる。
【発明の効果】
【００１１】
以上の説明から明らかなように、本発明は、複数の電源部を有する電源装置であっても、不必要な電源部の作動が生じないので、省エネに優れている。
【図面の簡単な説明】
【００１２】
【図１】本発明が適用される浄水装置の構成を示すブロック図
【図２】電源装置の構成を示す回路図
【発明を実施するための形態】
【００１３】
図１を参照して、１は本発明による電源装置２が組み込まれた浄水装置である。この浄水装置１内には電気分解室１１が設けられており、中央に設けられた隔膜１１ｃによって左右に区画されており、その各々に電気分解用の電極１１ａ，１１ｂが取り付けられている。両電極１１ａ，１１ｂは電気分解用の駆動回路１６に接続されており、この駆動回路１６には電源装置から直流電力が供給されるように構成されている。
【００１４】
この浄水装置１の全体の作動を制御するための制御部１５が設けられており、この制御部１５の駆動電力も電源装置２から供給される。この電源装置２は外部の商用電源から交流電力を給電し、内部で直流電力に変換して上記制御部１５や駆動回路１６などの各負荷に供給している。
【００１５】
そして、駆動回路１６から直流電力が電極１１ａ，１１ｂに供給されると、上水道に連結された導入管１２から電気分解室１１内へと導かれた水をアルカリイオン水と酸性水とに電気分解し、アルカリイオン水は出水管１３から出水し、酸性水は排水管１４から排水するように構成されている。
【００１６】
図２を参照して、この電源装置２内には本実施の形態では２個の電源部を備えている。すなわち、１個の主電源部と１個の副電源部である。３は主電源部の１次側で有り、整流部２２で整流された直流電力を所定の周波数で発振し、２次側３１に所定の電圧の交流電力を誘導し、２次側で直流に整流して上記制御部１５に供給する、スイッチング電源を構成している。
【００１７】
また、４は副電源部の１次側で有り、上記主電源部と同様にスイッチング電源で構成され、２次側４１から駆動回路１６へと直流電力を供給するように構成されている。
【００１８】
上記整流部２２で整流された直流電力は主電源の１次側３に供給されると共に、これに並列に接続されている副電源部の１次側４に対してライン２３を介して供給されるように構成されている。従って、商用電源２１からの給電が開始されると、主電源部の１次側３と副電源部の１次側４とに同時に直流電力が供給されることになる。
【００１９】
ところが、副電源部に対して、作動禁止部５が設けられている。この作動禁止部５内には整流部２２からの直流電力の供給が開始されるとＯＮになるトランジスタ５１が内蔵されている。このトランジスタ５１は副電源部の１次側４内のＦＥＴ４１のゲート４２とグランドラインとの間に取り付けられているので、トランジスタ５１がオン状態になるとゲート４２がグランドに落ち、副電源部の１次側４は発振しない。従って、ライン２３から直流電力が供給されても、２次側４１から直流電力が出力されることはない。
【００２０】
作動禁止部５内にはトランジスタ５１のベースとグランドとの間にフォトカプラを構成するフォトトランジスタ５２が取り付けられている。このフォトトランジスタ５２と対をなすＬＥＤ（図示せず）は制御部１５によって点消灯するように構成されている。
【００２１】
従って、制御部１５が駆動回路１６を作動させる場合にはフォトトランジスタ５２をオン状態にする。すると、トランジスタ５１のベースがグランドに落ちてトランジスタ５１がオフ状態になる。すると、ＦＥＴ４１のゲート４２が強制的にグランドに落ちていた状態が解消されるので、副電源部の１次側４は発振を開始して、２次側から駆動回路１６へと直流電力の供給が開始される。
【００２２】
ところで、上記実施の形態では１個の副電源部を設けたが、２個以上の副電源部を並列に設けてもよく、その場合には各副電源部に作動禁止部５を設ける。
【００２３】
なお、本発明は上記した形態に限定されるものではなく、本発明の要旨を逸脱しない範囲内において種々の変更を加えてもかまわない。
【符号の説明】
【００２４】
１ 浄水装置
２ 電源装置
５ 作動禁止部
１１ 電気分解室
１５ 制御部
１６ 駆動回路
２１ 商用電源
２２ 整流部
２３ ライン
５１ トランジスタ
【図１】
2015126656.tif 000003
【図２】
2015126656.tif 000004